(57)【特許請求の範囲】
【請求項１】
作業ヘッド（６）と、歯ブラシのハンドル（２）のネック（４）に連結するための、前記作業ヘッド（６）に連結された管状連結部（７）と、前記作業ヘッド（６）を駆動するための駆動シャフト（８）とを有する電動歯ブラシ（１）用の取り付け部品であって、前記連結部（７）が、少なくとも１つの内部ラッチ要素（４３）を有し、前記内部ラッチ要素（４３）が、前記ハンドルの前記ネック（４）の内部（６０）に移動するのに好適となり、かつ、前記ハンドルの前記ネック（４）への前記取り付け部品の、解放可能な形状密閉式及び／又は強制密閉式の連結を生じさせるのに好適となるように構成され、前記内部ラッチ要素（４３）が、その直径に関して、前記連結部（７）の内側円筒表面に対して半径方向内向きにずれており、そのため、前記内部ラッチ要素（４３）の外部と前記内側円筒表面との間に間隙が存在し、前記ハンドルの前記ネック（４）の壁が前記間隙内に移動できるように、前記間隙が好適に形成されることを特徴とする取り付け部品。
【請求項２】
前記内部ラッチ要素（４３）は、前記連結部の端面に向かう方向に延びるラッチタングを有し、前記ラッチタングは例えばラッチフック（４４）であり、前記ラッチフック（４４）は、ラッチ輪郭（６１）を構成するラッチ凹部又はラッチ突起部を有する、請求項１に記載の取り付け部品。
【請求項３】
更に、複数のラッチタング（４４）を有する、請求項２に記載の取り付け部品。
【請求項４】
前記ラッチタング（４４）の前記ラッチ輪郭（６１）は、様々な軸方向位置にて構成される、請求項２〜３のいずれか一項に記載の取り付け部品。
【請求項５】
前記ラッチ輪郭（６１）は、前記内部ラッチ要素（４３）の前記半径方向外向きに面する側に構成される、請求項２〜４のいずれか一項に記載の取り付け部品。
【請求項６】
前記内部ラッチ要素（４３）は、前記円周方向にアンダーカットを有し、及び／又は、前記取り付け部品（３）が前記ハンドルの前記ネック（４）上で回転するのを防止するための抗回転表面（９１）を有する、請求項１〜５のいずれか一項に記載の取り付け部品。
【請求項７】
前記駆動シャフト（８）は、前記グリップ部の駆動シャフト（５）に結合するのに好適なシャフト結合部（６３）を有し、前記シャフト結合部（６３）は円錐状のクランプ嵌合表面（６５）を有する、請求項１〜６のいずれか一項に記載の取り付け部品。
【請求項８】
前記クランプ嵌合表面（６５）は、前記駆動シャフト（８）の長手軸に対して約３．５°超のテーパ角度で傾斜する、請求項７に記載の取り付け部品。
【請求項９】
前記駆動シャフト（８）及び／又は前記シャフト結合部（６３）は、前記管状連結部（７）に対して前記軸方向に移動可能に装着される、請求項１〜８のいずれか一項に記載の取り付け部品。
【請求項１０】
前記駆動シャフト（８）及び／又は前記シャフト結合部（６３）を前記連結部（７）の前記端面に向かって付勢するための付勢装置（６６）が設けられる、請求項１〜９のいずれか一項に記載の取り付け部品。
【請求項１１】
電動歯ブラシ（１）のハンドルであって、グリップ部を有し、請求項１〜１０のいずれか一項に記載の取り付け部品（３）を結合するのに好適な結合装置（１０）を有する前記ハンドルのネック（４）を有し、前記取り付け部品（３）を駆動するのに好適な駆動シャフト（５）を有するハンドルにおいて、前記ハンドルの前記ネック（４）が、前記取り付け部品（３）の要素（４３）と係合及び／又はクランプ係合するための、内部に構成されたラッチ及び／又はクランプ手段（７０）を有し、前記要素（４３）が、前記ハンドルの前記ネック（４）の前記内部（６０）に移動され得ることを特徴とする歯ブラシハンドル。
【請求項１２】
前記駆動シャフト（５）のシャフト結合部（６９）は円錐状のクランプ嵌合表面（７３）を有する、請求項１１に記載の歯ブラシハンドル。
【請求項１３】
前記クランプ嵌合表面（７３）は、前記駆動シャフト（５）の前記長手方向に対して約３．５°超のテーパ角度で傾斜する、請求項１２に記載の歯ブラシハンドル。
【請求項１４】
前記駆動シャフト（５）及び／又は前記シャフト結合部（６９）は、前記ハンドルの前記ネック（４）に対して前記軸方向に移動可能に装着される、請求項１２又は１３のいずれか一項に記載の歯ブラシハンドル。
【請求項１５】
前記駆動シャフト（５）及び／又は前記シャフト結合部（６９）を付勢して前記ハンドルから離すための付勢装置が設けられる、請求項１１〜１４のいずれか一項に記載の歯ブラシハンドル。
【請求項１６】
前記連結部（７）への前記取り付け部品の形状密閉式及び／又は摩擦式の係合に好適な少なくとも１つの係合部品（１１）を有する結合装置（１０）が、前記ハンドルの前記ネック（４）に設けられ、前記結合装置（１０）は、前記ハンドルの前記長手方向（１２）にて軸方向に移動可能である結合部品（１３）を有する、請求項１１〜１５のいずれか一項に記載の歯ブラシハンドル。
【請求項１７】
前記結合部（１３）は、前記結合部（１３）の軸方向運動が、前記ハンドルの前記長手方向（１２）に対して直角な前記係合部品（１１）の横運動を生じさせるように、装着され、及び／又は形成される、請求項１６に記載の歯ブラシハンドル。
【請求項１８】
前記ハンドルの前記ネック（４）と前記係合部品（１１）との間に、展開機構（１４）が設けられ、前記展開機構（１４）により、前記係合部品（１１）は、前記ハンドルの本体に向かう前記結合部（１３）の軸方向運動が存在するとき、前記ハンドルの前記長手方向（１２）に対して直角に、外向きに展開されることができ、前記展開機構（１４）は、前記ハンドルの前記本体に向かう軸方向運動が存在するときに前記結合部（１３）が外向きに展開され得るように、好ましくは前記ハンドルの前記ネック（４）と前記結合部（１３）との間に設けられる、請求項１６〜１７のいずれか一項に記載の歯ブラシハンドル。
【請求項１９】
抑制手段（２３）が設けられ、前記抑制手段（２３）は、前記結合装置（１０）の前記係合部品（１１）がそのロック位置から逸脱した位置にあるときの、前記歯ブラシ駆動装置の抑制、抑止、制動、及び／又はスイッチ切りのためのものである、請求項１６〜１８のいずれか一項に記載の歯ブラシハンドル。
【請求項２０】
請求項１１〜１９のいずれか一項に記載のハンドルを有し、請求項１〜１０のいずれか一項に記載の取り付け部品を有する電動歯ブラシ。
【発明の詳細な説明】
【技術分野】
【０００１】
本発明は電動歯ブラシに関する。本発明は、一方では、作業ヘッドと、作業ヘッドを歯ブラシハンドルのネックに連結するための、作業ヘッドに連結された管状連結部と、作業ヘッドを駆動するための駆動シャフトとを有する係る電動歯ブラシ用の取り付け部品、例えば取り付けブラシに関する。他方で、本発明は、グリップ部と、取り付けブラシなどの取り付け部品に結合するための結合装置を有するハンドルネックと、取り付け部品を駆動するための駆動シャフトとを有するそのような電動歯ブラシの歯ブラシハンドルに関し、その駆動シャフトは、取り付け部品の駆動シャフトに結合するためのシャフト結合部を有する。
【背景技術】
【０００２】
電動歯ブラシは一般に、取り外し可能で、かつ交換可能な取り付けブラシを有しており、そのため、各々が自身専用の取り付けブラシを有する複数人の家族で共通のハンドルを使用することができ、つまり、取り付けブラシが摩耗した場合、電動歯ブラシ全体ではなく、その取り付け歯ブラシのみ交換すればよい。その過程において、特に、取り付けブラシに作用するか、あるいは反力の形でハンドルに作用する洗浄力、駆動力、軸方向力、及び半径方向力を含めて、種々の力が、取り付けブラシとハンドルとの間の結合部によって伝達されなければならない。取り付けブラシをハンドルネックに結合することは、一般に、半径方向力がハンドルネックにおいて吸収されるか、又は散逸され、軸方向力が駆動シャフトにおいて吸収されるか、あるいは散逸されるような方式で達成される。この目的のため、取り付けブラシの管状連結部は一般に、歯ブラシのネックに押し込まれ、取り付けブラシのブラシ管に設けられた駆動軸は、ハンドルネックの端部から突出する駆動シャフトに結合される。そのようなシステムの例が、３に記載されており、この欧州特許第０５００５３７  Ｂ１号によれば、ハンドルネックは、またそれに応じて相補的な様式で、管状連結部品は、半径方向力をより良好に吸収できるようにするために、円形の形状から逸脱する横断面を備えている。軸方向力の伝達を可能にするために、ブラシ管内の駆動シャフトは、ハンドルの駆動シャフトに押し込まれ、そこでラッチ連結部によって固定されることができる。
【０００３】
そのような電動歯ブラシに対し、国際公開第００／７６４２０  Ａ１号は、軸方向の固定、更には回転に対する固定をハンドルネックにおいて達成することを提案している。この目的で、のこ歯形状のラバーリップが取り付けブラシの管状連結部に設けられるが、このリップはハンドルネックに押し込まれることができ、その形状は円形の形状から逸脱したものである。加えて、ラッチタングが管状連結部上に設けられるが、そのラッチタングは、ハンドルネックの外周表面の上に押し込まれることができ、そこでラッチ係合されることができる。これは、軸方向の引っ張りに対する更なる固定を達成することを意図したものである。しかしながら、このラッチ装置によって達成される更なる軸方向の固定は、ハンドルネックの外周が、例えば練り歯磨きの残留物などで汚れることが原因で限られたものとなる。加えて、歯ブラシのネックは時には指で把持されるが、これにより、ラッチ連結部に外圧がかかることが原因で、意図しない解除を生じることがある。
【０００４】
更に、米国特許第６，８３６，９１７号は、歯ブラシのネック上のＬ字形状の溝を有する電動歯ブラシを提案しており、その溝の中に、取り付けブラシの押し込み連結部に設けられたピンが移動し、その結果、取り付けブラシは、差し込みカップリングの形式で、ピンを押し込み、ピンを回転させることによって固定されることができる。加えて、駆動シャフトが係合するようになされている。しかしながら、半径方向力は、これらの力がハンドルに対して（いわゆる）正しい回転方向に加えられる場合にも、意図しない差し込みカップリングの解除を生じることがあり、したがって更なる固定処置が必要となる。
【０００５】
加えて、ドイツ特許出願公開第１０２  ０９  ３２０  Ａ１号より、歯ブラシヘッドのみが交換可能にハンドルにラッチ係合され得る電動歯ブラシ、すなわち歯ブラシヘッドが歯ブラシヘッドを駆動するための駆動シャフトを有していない電動歯ブラシが知られている。その代わりに、ハンドルの駆動シャフトは、歯ブラシヘッドの中に通されなければならず、それにより、時には問題が起こることがあり、駆動シャフトの特定の駆動運動が必要となる。
【先行技術文献】
【特許文献】
【０００６】
【特許文献１】欧州特許第０５００５３７  Ｂ１号
【特許文献２】国際公開第００／７６４２０  Ａ１号
【特許文献３】米国特許第６，８３６，９１７号
【特許文献４】ドイツ特許出願公開第１０２  ０９  ３２０  Ａ１号
【発明の概要】
【発明が解決しようとする課題】
【０００７】
この従来技術から更に進んで、本発明は、従来技術の欠点を回避すると共に有利な方式で従来技術を改良する、改善された電動歯ブラシ、改善された取り付け部品、及び／又はそのような電動歯ブラシ用の改善されたハンドルを作製するという目的に基づくものである。具体的に言えば、発生する軸方向力及び半径方向力を確実に吸収し、安定に、かつハンドル上の遊びを可能な限り少なくして取り付け部品を保持し、それでいて結合部の容易な解放を可能にする使いやすい結合部が、取り付け部品とハンドルとの間に構築されるべきである。
【０００８】
この目的は、請求項１に記載の取り付け部品、請求項２８に記載の歯ブラシハンドル、請求項４９に記載の電動歯ブラシ、及び請求項５０に記載の結合部によって達成される。好ましい各実施形態は、従属請求項の主題である。
【課題を解決するための手段】
【０００９】
したがって、取り付け部品とハンドルとの間に作用する半径方向力及び軸方向力はハンドルネックに作用するべきであり、また、この目的で取り付け部品の管状連結部とハンドルネックとの間に設けられる連結部は、ハンドルネックの内部に再配置されるはずであることが企図される。取り付け部品の管状連結部は、取り付け部品をハンドルに形状密閉式及び／又は強制密閉式で連結するための要素を有している。好ましくは、取り付け部品の管状連結部は、内部ラッチ要素を有しており、その内部ラッチ要素は、取り付け部品がハンドルネックの上に配置されるとき、ラッチ要素がハンドルネックの内部に移動し、ハンドルネックの内側の輪郭にラッチ係合するように形成されている。それに応じて、歯ブラシハンドルは、ハンドルネックの内部に移動する取り付け部品の内部ラッチ要素と係合するための、内部に配置されたラッチ手段をハンドルネックが有するという点で、区別されるものである。ハンドルネックの内部におけるラッチ連結により、軸方向力は確実に吸収されることができ、またそれにより、ハンドルの駆動シャフトと取り付け部品との接合面は、引っ張り力を吸収するように強制されることがなくなるため、この接合面の特殊な設計が可能となる。この場合は、ラッチ表面が汚れる可能性を抑え、かつ歯ブラシハンドルに対する外圧による悪影響を伴うことなく、安定した係合が可能となり、ラッチ連結により、軸方向力と半径方向力の双方を吸収することが可能となる。別の実施形態において、取り付け部品の管状連結部は、内部クランプ要素を有しており、その内部クランプ要素は、取り付け部品がハンドルネックに配置されるとき、内部クランプ要素がハンドルネックの内部に移動し、ハンドルネックの内側の輪郭にクランプ係合するように形成されている。それに応じて歯ブラシのハンドルは、ハンドルネックが、ハンドルネックの内部に移動する取り付け部品の内部クランプ要素とクランプ係合するための、内部に構成された輪郭を有しているという点で区別される。別の実施形態において、取り付け部品の管状連結部は、内部ラッチクランプ要素を有しており、その内部ラッチクランプ要素は、取り付け部品がハンドルネックに配置されるとき、内部ラッチクランプ要素がハンドルネックの内部に移動し、ハンドルネックの内側の輪郭にロックしクランプ係合するように形成されている。それに応じて歯ブラシハンドルは、ハンドルネックが、取り付け部品の内部ラッチクランプ要素と係合及びクランプ係合するための、内部に構成された輪郭を有しているという点で区別される。
【００１０】
以下の説明では、ラッチ手段など、形状密閉式の結合手段のみについて明示的に述べられているが、以下の説明は、電動歯ブラシとそのハンドルとの間の結合が、形状密閉式及び／又は強制密閉式の連結に基づいて実現され得るように理解されるものである。
【００１１】
取り付け部品の管状連結部とハンドルネックとの間の、ハンドルネックの内部に構成される内部ラッチ手段は、様々な様式で設計されることができる。有利にも、取り付け部品の内部ラッチ要素は、例えば歯ブラシのハンドルに向かって突出して連結部の端面に向かって延びるラッチタングを有することができるが、そのタングは、ハンドルネックの内側の輪郭に形状が適合されたラッチ輪郭を有し、この輪郭は、例えばラッチ凹部として、あるいはラッチ突出部として形成されることができる。特に、ラッチタングは、フック形状のラッチ突起を端部に有するラッチフックを形成することができ、そのラッチ突起は、ハンドルネックの内側の、ラッチ突起に対して相補的に形成されたラッチ輪郭にロックすることができる。
【００１２】
ラッチタング上のラッチ輪郭の向きは、様々に選択されることができる。例えば、円周方向におけるラッチ輪郭の向きは、押し込み部品が軸方向に押し込まれるとラッチタングが円周方向に外れるように与えられてもよい。しかしながら、好ましくは、ラッチ輪郭は、ラッチタングの半径方向外向きに面する側に設けられる。
【００１３】
そのラッチタングは有利にもスプリングクリップを形成し、そのスプリングクリップは、おおよそ取り付け部品の管状連結部の長手方向に延びるものであり、その長手方向に対して直角に弾性的に変形可能となるように形成される。ラッチタングの外側にあるラッチ輪郭の上述の構成と相まって、このようにしてラッチが容易に生じることができる。これは、取り付け部品がハンドルネックに軸方向に押し込まれると、ラッチタングはまず、ハンドルネックの内部にある相補的なラッチ輪郭に達するまで半径方向に外れ、その結果、完全に押し込まれた位置で、戻ることによってロックできるからである。
【００１４】
内部ラッチ要素が（管状連結部の長手方向に対して）アンダーカットされる設計により、特に簡潔な操作が達成されることができる。この取り付け部品は、軸方向に、ハンドルネックの管状連結部の長手方向に対しておおよそ平行に押し込まれるだけでよく、それによって、ラッチ装置をロックすることが可能となっている。逆に、このラッチ連結は、取り付けブラシを軸方向に引っ張ることによって解除されることができる。
【００１５】
一方では、強い軸方向力を吸収できる安定したラッチ連結を可能にし、他方では、取り付けブラシが引っ張られるときのラッチ連結の容易な解除を可能にするために、取り付け部品の内部ラッチ要素は、ラッチ解除ベベルを与えられることができ、そのラッチ解除ベベルは、管状連結部の長手方向に対して鋭角をなして、好ましくは楔形表面の形態をなして傾斜しており、その楔形表面により、係合したラッチ輪郭は互いに解除されることができる。それと同時に、ラッチ輪郭自体は、この場合はより強い力にも耐えられるような方式で、例えば長手方向に対して直角に延びるラッチ表面の形態で形成されることができる。
【００１６】
ハンドルネックにおける取り付け部品の内部ラッチ連結にもかかわらず、取り付け部品がハンドルネックの外周表面に押し込まれるようにすると有利である。この目的のために、取り付け部品の管状連結部には、ハンドルネックの外側に配置するための外側結合部が設けられる。外側結合部は、その外側でハンドルネックを囲繞する囲繞部を形成する。このようにして、傾きが防止されると共に回転に関して固定される連結が、取り付け部品と歯ブラシハンドルとの間に生じ、それにより、より強いブラッシング力をも伝達することができる。
【００１７】
外側結合部はこの場合、有利にも形状密閉式の嵌合表面を形成する内側円筒表面部を備えることができ、この嵌合表面に対して、取り付け部品の内部ラッチ要素は、半径方向内向きに後退するか、取り付け部品が押し付けられるときにハンドルネックの壁が中に移動できる間隙によって分離される。ハンドルネックの壁はしたがって、言うなれば両側から包囲される。連結部の外側結合部は、ハンドルネックの外周表面の上で移動され、一方で、連結部の内部ラッチ要素は、その内側でハンドルネックの中に移動する。
【００１８】
ハンドル上に、様々な方式で形成された内部ラッチ手段が設けられることができる。上述のように、スプリング形式のラッチタングが、スプリングクリップの形態で取り付け部品に設けられる場合、内部ラッチ手段は、ハンドルネックに固定的な形式で設けられるラッチ輪郭の形態でハンドルに形成されることができ、その輪郭は、有利にもハンドルの長手方向にアンダーカットされ、ラッチタングのラッチ輪郭に形状を好適に適合される。具体的には、半径方向内向きに突出するラッチ突起が、ハンドルネックの内側円筒表面に一体的に形成されることができる。
【００１９】
それに代わって、又はそれに加えて、ハンドルネックの内部にある内部ラッチ手段はまた、好ましくは弾性スプリングクリップの形態をなすラッチタングを有することができ、その弾性スプリングクリップは、ハンドルネックの長手方向に対して実質的に平行に延びるものであり、その長手方向に対して直角に弾性的に変形可能となるように形成される。取り付け部品が軸方向に押し込まれると、このラッチタングは、戻ることによって、完全に押し込まれた位置でロックするまで、弾性変形を伴って取り付け部品の内部ラッチ要素の上で摺動することができる。好ましくは、ハンドルネックの内部のそのようなラッチタングは、半径方向に外れることができ、かつそれに対応する半径方向での戻りによってラッチ係合できるような方式で形成されることができる。
【００２０】
更なる実施形態において、ハンドルの駆動シャフトのシャフト結合部及び取り付け部品の駆動シャフトに、既知の方式でラッチ手段が設けられることができ、それにより、各駆動シャフトは互いにラッチ係合されることができる。ラッチ手段はこの場合、有利には、駆動シャフト又はシャフト結合部を互いに対して軸方向に押し込むことによって、互いにラッチ係合及び解除され得るように形成される。有利には、この目的で、シャフトの長手方向に延びる好適なラッチ輪郭を有するラッチクリップが、シャフト結合部に設けられることができ、このラッチ輪郭は、他のシャフト結合部の相補的なラッチ輪郭にラッチ係合することが可能である。
【００２１】
しかしながら、シャフト結合部のそのようなラッチに代わって、又はそれに加えて、シャフト結合部が円錐による嵌合を有することもできる。すなわち、具体的に言えば、互いに相補的な円錐状のクランプ嵌合表面が、シャフト結合部に設けられることができ、このクランプ嵌合表面は、シャフト結合部を互いに軸方向に押し込むことによって、遊びのない嵌合を達成することができる。取り付け部品がハンドルネックに対して係合することにより、軸方向力が必ずしも駆動シャフトの結合によって伝達される必要がなくなり、したがって、円錐状の又は傾斜したクランプ嵌合表面のベベル角は、より大きく、具体的には自動的な係合が生じなくなるよう十分に大きく作られることができる。有利には、駆動シャフトの長手軸に対して約７°超のベベル角が、クランプ嵌合表面に設けられることができる。このようにして、短い軸方向結合経路が使用される場合でも、遊びのない結合が達成されることができ、軸方向力は、ハンドルネックに対するラッチ連結によって、又は更に所望により、シャフト結合部に付加的に設けられたラッチ連結部によって、容易に吸収されることができる。
【００２２】
取り付け部品上の及び／若しくはハンドル上の駆動シャフト、又は駆動シャフトにそれぞれ結合されたシャフト結合部は、軸方向に移動可能となるように装着されることができる。有利には、それぞれの駆動シャフト及び／又は駆動シャフトに連結されたシャフト結合部は、付勢装置を与えられ、その付勢装置により、取り付け部品のシャフト結合部がハンドルに向かって付勢されるか、あるいはハンドルのシャフト結合部が取り付け部品に向かって付勢される。具体的には、この付勢装置は、シャフト結合部とそれに関連する駆動シャフトとの間に設けられたスプリング装置を含むことができる。具体的には、シャフト結合部は、圧縮スプリングによって駆動シャフト上に支持されることができ、そのため、シャフト結合部は、言うなれば、取り付け部品とハンドルが互いに近づけられるときに、わずかに圧縮される。このようにして、取り付け部品及びハンドルの各駆動シャフトの遊びのない結合が、特に有利な方式で達成されることができる。この付勢は、円錐状のクランプ嵌合表面を伴って、またハンドルネックに対する取り付け部品の上述の内部係合を伴って特に有利となるが、遊びがなく安定であり、かつ容易に解除可能な、２本の駆動シャフトの結合を達成するために、有利にもそれらとは独立に用いられることもできる。
【００２３】
管状連結部の外側結合部は、歯ブラシのネック又はその外側円筒表面に押し込まれ得る押し込みリングを形成することができ、その押し込みリングは、有利にも、閉じた方式で形成されることができる。この押し込みリングは、有利にも、円錐状の形状に設計されることができ、ハンドルネックの円錐状の外側円筒表面に適合されることができる。
【００２４】
しかしながら、取り付け部品の管状連結部に好ましくは殻形状の結合部を設けることも可能であり、その結合部は、ハンドルの好ましくは半殻形状の結合部の上に配置されることが可能である。これら２つの殻形状又は半殻形状の結合部は、言うなれば、両者で完成したものとなって完全なハンドルネック又は結合部を形成し、そのハンドルネック又は結合部は特に、ハンドルに対する取り付け部品のねじれによって生じる円周方向の力を確実に吸収することが可能である。加えて、特に小さな直径を有する設計が達成されることができる。
【００２５】
ハンドルネックには、取り付けブラシの連結部との形状密閉式及び／又は摩擦式のロックを生じさせるために、ハンドルの長手方向に移動可能な結合部を有する結合装置が設けられることができる。この結合部は、好ましくは、スプリング要素によって歯ブラシのハンドルのグリップ部から軸方向に押しやられ、そのため、取り付け部品が取り付けられていないとき、結合部はハンドルに対する定められた位置に配置されるようになっており、この位置で、取り付け部品は、妨害されない形で取り付けられることができる。
【００２６】
ハンドルネックの結合装置は、有利には、ハンドルの長手方向における軸方向運動を伴って、またハンドルの長手方向に直角な運動を伴って動作する。有利には、ハンドルの長手方向における軸方向運動が結合装置の作動を生じさせ、横方向の運動がロックを生じさせる。この歯ブラシのハンドルは、その結合装置が、ハンドルの長手方向に軸方向に移動され得る結合装置を有することで区別され、結合部は、結合部の軸方向運動が、ハンドルの長手方向に垂直な、結合装置の係合部品の横運動を生じさせるような方式で装着及び／又は形成される。
【００２７】
軸方向の作動運動は、有利にも、取り付け部品がハンドルネックに押し込まれるとき、又はハンドルネックから引き離されるときに、取り付け部品によって発生されることができる。取り付け部品の押し込み又は引き離しは、言うなれば、ハンドルの結合装置の押し込み又は引き離しに対して直角に方向付けられたロック運動又はロック解除運動を発生させるために用いられることができる。別の態様によれば、取り付け部品は、その結合部が、ハンドルの結合部の係合部分が中に移動できる外向き凹部を内側円筒表面に有するだけでなく、連結部がハンドルネックに配置されたときにハンドルの結合部が軸方向にてはね返るための衝突表面をも有するという点で区別される。衝突表面が、取り付け部品と歯ブラシハンドルが互いに配置されるときに歯ブラシハンドルの結合部を捕捉し、歯ブラシのハンドルのグリップ部に対して軸方向に摺動して戻り、それにより、取り付け部品が取り付けられるときに、ロックが言うなれば自動的に生じるような方式で、取り付け部品の結合部の衝突表面は、有利には、その形状及び位置に関して、ハンドルの結合部に適合される。
【００２８】
係合を生じさせる、ハンドルの結合装置の係合部品の横運動を引き起こすために、ハンドルネックと歯ブラシのハンドルの結合部との間に展開機構が設けられることができ、ハンドルの本体に向かう結合部の軸方向運動が存在するとき、その展開機構により、ハンドルの結合装置の上記の係合部品が、ハンドルの長手方向に対して直角に外向きに展開される。有利にも、この場合、対応する軸方向運動が存在するときに、展開機構によって外向きに展開されるのは、結合部自体であり、係合部品は、したがって、直接結合部に、好ましくは１つの部分に一体的に形成されることができる。
【００２９】
この結合装置は、制御装置を与えられることができ、その制御装置は好ましくは機械的に動作し、結合装置の位置に従って歯ブラシの駆動部を制御する。具体的に言えば、この制御装置は、結合装置の係合区間がそのラッチ位置にないときに歯ブラシの駆動部を抑止、スイッチ切り、遅延、又は制動する抑制手段を有することができる。これにより、取り付けブラシがハンドルに正しく装着されていないときに、歯ブラシ駆動部が運動するのを防止することができ、このようにして、特に回転する駆動シャフトによる怪我の危険性が防止されることができる。抑制手段は原則として様々な方式で形成されることができ、原則として、その抑制手段を制御技術又はソフトウェアに基づくものに設計することが考えられる。それに代わって、又はそれに加えて、機械的な設計の抑制手段が設けられることもでき、抑制手段は有利にも、結合部上の係合表面を備えることができ、その係合表面は、結合部の非ロック位置において、ハンドルの駆動シャフトと係合するように移動でき、具体的には駆動シャフトに押し当てられることができる。具体的に言えば、この抑制手段は、駆動シャフト上及びハンドルの結合部上に平坦な部分を備えることができ、それらの平坦な部分は互いに接触されることができる。結合部の平坦な部分が、駆動シャフトの対応する平坦な部分に押し当てられている場合、駆動シャフトは回転できなくなる。この平坦な部分は有利には、外側表面に構成される。
【００３０】
有利にも、抑制手段はこの場合、駆動モーター用の電子的なスイッチ切り装置と共に働くことができる。具体的に言えば、この制御装置は、駆動シャフトが遅延されているときに駆動モーターをスイッチ切りする、好ましくは電子的なスイッチ切り装置を有することができる。歯ブラシの駆動シャフトが自在に運動できないことを、この電子的なスイッチ切り装置が認識すると直ちに、モーターを、特にまた電池を保護するために駆動モーターがスイッチ切りされる。駆動シャフトが抑制された状況の検出は、様々な方式で生じることができる。例えば、位置センサー、例えば上記の結合部の位置を検出するスイッチが設けられることができる。この結合部が抑制位置にある場合、駆動モーターはスイッチ切りされる。有利にも、しかしながら、モーターのスイッチ切りはまた、モーターの電力消費量に基づいて発生されることができる。具体的には、上記のスイッチ切り装置は、モーター電流を検出するための検出手段を備えることができ、モータ電流が所定のモーター電流レベルを超えたときに駆動モーターをスイッチ切りすることができる。これは、駆動シャフトが遅延又は制動されているときに生じる。
【００３１】
取り付け部品が取り外されているときに、歯ブラシのハンドルの駆動シャフトをそのように機械的に抑制することにより、駆動モーターの電子的なスイッチ切り装置と共に、電池保護を伴う非常に簡潔な移動ロックが達成されることができる。歯ブラシのハンドルが誤ってスイッチ入れされるのを防止するには、取り付け部品を歯ブラシのハンドルから取り外すだけでよい。例えば、歯ブラシが固定されずにスーツケース内にある場合でも、歯ブラシの充電式電池が、望ましくない放電を経ることはない。
【００３２】
嵌合表面に異物が存在する場合でも、取り付け部品が歯ブラシのハンドルネックに正しい嵌合で配置及び結合されるようにするために、歯ブラシのハンドルネックに、かつ／又は取り付け部品の連結部に、異物捕捉凹部が設けられることができ、言うなれば、歯ブラシの２つの部品が互いに配置されるときに、この異物捕捉凹部の中に、塵、くずなどが消滅することができ、そのため、それらによって結合工程が妨害されることはない。これらの異物捕捉凹部は、特にハンドルネック及び取り付け部品の円筒又は円錐嵌合表面上に、特にハンドルネックの外側円筒表面上及び取り付け部品の結合部の内側円筒表面上に設けられることができる。それに代わって、又はそれに加えて、結合工程が妨害されないように、そのような異物捕捉凹部はまた、歯ブラシのハンドル及び／若しくは取り付け部品の抑制部上、並びに／又は取り付け部品に設けられた係合部分上に設けられることもできる。例えば、互いに係合されることができる、取り付け部品の展開可能な抑制部の外側表面及び／又は内側表面に、抑制部の展開が妨害されないように、そのような異物捕捉凹部が設けられるようにすることができる。
【００３３】
異物捕捉凹部は、様々な方式で、例えば表面のひだの形態で、具体的には、実質的に溝の形状をなし、歯ブラシの長手方向に延びる捕捉凹部を有する長手方向のひだの形態で形成されることができる。
【００３４】
これらの特徴及び更なる特徴は、それらが請求項においてどのように組み合わせられるかにかかわらず、それ自体で、副結合で、又は互いとの結合において、本発明の主題を形成し得るものであるが、特許請求の範囲から明らかとなるだけでなく、有利な実施形態について説明する基礎となる以下の説明及び添付の図面からも明らかとなろう。図面は次のとおりである。
【図面の簡単な説明】
【００３５】
【図１】ハンドルとハンドルネックに押し込まれ得る取り付けブラシとを有する電動歯ブラシの部分概略断面図を示しており、この図によれば、取り付けブラシの管状連結部は、ラッチフックの形態をなす内部ラッチ要素を有し、このラッチフックは、ハンドルネックの内部に移動し、そこでラッチ係合する。
【図２】図１に示すものと類似した電動歯ブラシの別の実施形態の部分概略断面図を示しており、この図によれば、ラッチフックは、曲折する形状を伴って湾曲するスプリングクリップを備えており、またこの図によれば、歯ブラシのハンドル内に、取り付け部品が取り外されるときに取り付けブラシをロックし駆動シャフトを抑制するための、展開可能な結合／抑止部品が設けられている。
【図３】図１に示すものと類似した歯ブラシの別の実施形態の部分概略断面図を示しており、この図によれば、ラッチフックがハンドルネックの内部にロックし、ラッチ連結を解除し得る展開可能な結合／抑止部品が、ハンドルネック内に設けられている。
【図４】図１に示すものと類似した歯ブラシの別の実施形態の部分概略断面図を示しており、この図によれば、取り付けブラシ内及びハンドル内の駆動シャフトは、円錐状の圧入表面の対によって互いに連結されており、ハンドルネックは、円錐状の形式で先細となる外側円筒表面を有している。
【図５】図１に示すものと類似した歯ブラシの別の実施形態の部分概略断面図を示しており、この図によれば、取り付けブラシの内部ラッチ要素は、中央の管状ラッチフックとして形成されており、この管状ラッチフックは、スリーブの形式でハンドルの駆動シャフトに押し込まれることができる。
【図６】図１に示すものと類似した歯ブラシの別の実施形態の部分概略図を示しており、この図によれば、取り付けブラシ内の駆動シャフトのシャフト結合部は、軸方向に移動可能となっており、円錐状のクランプ嵌合表面の対を、遊びを持つことなく駆動シャフト間に収容することを達成するために、スプリング装置によって付勢されている。
【図７】図６に示すものと類似した歯ブラシの部分概略断面図を示しており、別々に形成されたシャフト結合部が、取り付けブラシの駆動シャフト上で軸方向に移動可能となるように装着されており、スプリング装置を通じて予め張力をかけられている。
【図８】図１に示すものと類似した歯ブラシの別の実施形態の部分概略断面図を示しており、この図によれば、取り付けブラシの内部ラッチ要素は、円錐状の結合リング上に一体的に形成されており、円錐状の結合リングは、内部的にも外部的にもハンドルネックを囲み、正確に嵌合し、かつ円錐表面上に遊びを伴うことなく取り付けられている。
【図９】ハンドルネックの領域内における歯ブラシの別の実施形態の部分概略断面図を示しており、この図によれば、ハンドルネックの内部にある内部ラッチ手段は、スプリングクリップの形態をなすラッチタングを有している。
【図１０】ハンドルネックの領域内における歯ブラシの別の実施形態の部分概略断面図を示しており、この図によれば、ハンドルネックの内部にある内部ラッチ手段は複数のラッチタングを備え、それらのラッチタングは、ハンドルネックに取り付けられたシートメタルインサートに一体的に形成されている。
【図１１】図１に示すものと類似した歯ブラシの別の実施形態の部分概略断面図を示しており、この図によれば、取り付けブラシは、柔軟なラッチタングの形態をなす２つの内部ラッチ要素を備え、それらの柔軟なラッチタングは、異なる様式で形成されたラッチ輪郭を有している。
【図１２】図１１に「Ｘ」で記された細部の拡大断面図を示しており、ラッチタングのうちの１つのラッチ輪郭を示している。
【図１３】図１２の線Ａ−Ａに沿った、図１２のラッチタングの断面図を示している。
【図１４】図１に示すものと類似した歯ブラシの別の実施形態の部分概略断面図を示しており、この図によれば、ハンドルネックの内部にある内部ラッチ手段はクランプリングを備え、このクランプリングは、取り付けブラシの管状内部ラッチ要素と係合するために半径方向内向きに付勢されている。
【図１５】図１４に示すものと類似した歯ブラシの別の実施形態の部分概略断面図を示しており、この図によれば、取り付けブラシの半径方向における固定は、ラッチ連結部の領域にある止め金形式のクリップ要素によってもたらされる。
【図１６】図１に示すものと類似した歯ブラシの別の実施形態の部分概略断面図を示しており、この図によれば、ハンドルネック内に設けられた内部ラッチ手段は、スプリングクリップの形態をなすラッチタングを備え、取り付けブラシの内部ラッチ要素は、ラッチポケットを有する管状の径方向嵌合要素を備えている。
【図１７】図１に示すものと類似した歯ブラシの別の実施形態の部分概略断面図を示しており、この図によれば、半殻形状の結合部が、いずれの場合も、取り付けブラシの管状連結部上及びハンドルネック上に設けられており、これらの結合部は、互いの上に正確に嵌合して配置されることができる。
【発明を実施するための形態】
【００３６】
図に示す歯ブラシ１は、ハンドル２と、取り付け部品とを備えており、取り付け部品は、取り付けブラシ３の形態でハンドル２に取り付けられている。部分的にのみ示すハンドル２は、既知の方式で、駆動モーターと充電式電池などのエネルギー供給装置とを収容するハウジングを備えており、そのハウジング上に、駆動装置をスイッチ入れ及びスイッチ切りする作動スイッチが設けられている。図１〜３に示すハンドル２の端面において、ハンドル２のハウジングは、図示の実施形態において（全体として見て）連結部として形成されたハンドルネック４を形成しており、この連結部は、端面から突出しており、円錐台状、つまり切頭形状をなしており、実質的に円筒状又は円錐状であり、また円錐の様式でその自由端部に向かってわずかに先細となることができる。駆動シャフト５は、例えば回転によって揺動する形式で駆動され得るものであり、ハンドルネック４の端面から出現している。
【００３７】
取り付けブッシュ３は、剛毛の部分（詳細には図示せず）を有する作業ヘッド６を備え、この作業ヘッド６は、おおよそ剛毛の長手方向を指す剛毛部分の軸線を中心として回転によって揺動する形式で駆動されることができる。動作ヘッド６は、連結部７によって支持されており、連結部７は、全体的に管状の形状を有し、歯ブラシハンドル２のネック４に押し込まれることができる。管状連結部７の内部において、取り付けブラシ３は押し付けシャフト８を有しており、押し込みシャフト８は、回転に関して一体となる様式でハンドルの駆動シャフト５に結合されることができる。
【００３８】
取り付けブラシ３をハンドル２上に固定するために、管状連結部７には、結合スリーブ又は結合リングの形態をなす結合インサート９が設けられており、この結合インサート９は、軸方向に固定されて管状連結部７に取り付けられるように構成されている。大まかに言えば、結合インサート９は、形状において全体として円筒状又はわずかに円錐状であり、そのため、結合インサート９は、全体として正確に嵌合してハンドルのネック４へと軸方向に押し込まれることができ、取り付けブラシをハンドル２に正確に嵌合して遊びのない固定が達成され得るようになっている。
【００３９】
結合インサート９は、その内部の円筒状表面と共に、正確に嵌合してハンドルのネック４の外側の外周表面に押し込まれ得る外側結合部６２を形成しており、このネックを囲んでいる。外側結合部６２はこのようにして、傾きを防止する方式でハンドルのネック４上に取り付けブラシ３を固定する囲繞部を形成している。
【００４０】
好ましくはわずかに円錐状の形状を持たせて形成されるハンドルのネック４が、軸方向下方に摺動するするのを防止するために、ハンドルのネック４の内部６０において、取り付けブラシ３はハンドルのネック４にラッチ連結されている。図示の特定の実施形態において、この目的で、取り付けブラシ３は、管状連結部７の内部に設けられた内部ラッチ要素４３を備えており、この内部ラッチ要素は、図示の特定の実施形態では結合インサート９に一体的に形成されているが、しかしながら、別の実施形態では、内部ラッチ要素はまた、管状連結部７の壁に直接設けられてもよい。
【００４１】
図示の特定の実施形態において、内部ラッチ要素４３は、ラッチフック４４の形態をなすラッチタングとして形成されており、そのラッチフック４４の長手方向の延びは、取り付けブラシ３の長手方向１２に実質的に平行に広がるものであり、またそのラッチフック４４は、結合インサート９の底部（止り穴として形成される）から、連結部７の端面に向かって、又はハンドル２に向かって突出している（図１を参照）。
【００４２】
その突出端部で、ラッチフック４４は、図示の実施形態において、ラッチ突起の形態をなすラッチ輪郭６１を有しており、そのラッチ突起は、ラッチフック４４の外側から半径方向外向きに突出しており、取り付けブラシ３の長手方向にアンダーカットされるように形成されている。
【００４３】
その直径に関して言えば、内部ラッチ要素４３は、結合インサート９の外側の円筒表面に対して半径方向内向きにずれており、そのため、内部ラッチ要素４３の外側と結合インサート９の内側の円筒表面との間に、ハンドルのネック４の壁が中に移動できる間隙が残っている（図１を参照）。
【００４４】
内部ラッチ要素４３のラッチ曲線６１は、ハンドルのネック４の内部６０において内部ラッチ手段７０とロックする。図示の特定の実施形態において、これらの内部ラッチ手段は、ラッチ突起の形態をなすラッチ輪郭４８を備えており、このラッチ突起は、ハンドルのネック４の壁の内側の円筒表面から半径方向内向きに突出しており、長手方向１２に対してアンダーカットされるように形成されている。ここで、ラッチ輪郭４８は、ハンドルのネック４の壁上で一体的に形成されている。
【００４５】
図１に示すように、内部ラッチ手段７０又はラッチフック４４のアンダーカット付きラッチ輪郭４８及び６１はそれぞれ、長手方向１２に対して鋭角をなして傾斜しており、そのため、このラッチ連結は、取り付けブラシ３を強制的に引っ張ることによって解除されることができる。更に、このようにして、ラッチフック４４がハンドルのネック４上の相補的なラッチ輪郭に弾性的に押し当たるときに軸方向力が生成され得るため、ラッチ輪郭が傾斜して位置することにより、遊びのない結合が確実となる。ラッチフック４４は、有利にも、特に半径方向において、長手方向１２に対して直角に外れることができるスプリングクリップとして形成されている。
【００４６】
このようにして、次の機能が生じる。つまり、取り付けブラシ３をハンドル２に結合するために必要となるのは、その管状連結部７を用いて取り付けブラシ３をハンドルのネック２へと軸方向に押し込むことだけである。このようにして、管状連結部７の外側結合部６２は、ハンドルのネック４の外側円筒表面の上で摺動する。ハンドルのネック４の内部で、ラッチフック４４は、ハンドル上のラッチ輪郭４８の上で摺動し、その過程において弾性的に撓曲する。それと同時に、取り付けブラシ３の駆動軸８のシャフト結合部６３が、ハンドル２の駆動シャフト５のシャフト結合部６９に送られる。
【００４７】
完全に押し込まれた位置に達すると、ラッチフック４４は、半径方向に戻り、ラッチ輪郭４８及び６１を移動させて互いに係合させる。それと同時に、駆動シャフト５は、取り付け部品に設けられた駆動シャフト８とロックする。この目的で、移動して互いに係合する２つのシャフト結合部６３及び６９は、ラッチ連結部を備えているが、このラッチ連結部は、図示の例示的な実施形態において、弾性のラッチタングの形態をなすラッチ手段６４を備え、このラッチ手段６４は、駆動シャフトの長手方向に対して半径方向に外れ、半径方向に戻ることによってロックすることができる（図１を参照）。
【００４８】
ハンドルのネック４は、原則として、様々な横断面形状を有することができる。円筒状に、又は円錐状に形成される場合、ハンドルのネック４の内部６０にあるラッチ連結は、回転に対して取り付けブラシを固定することができる。ラッチフック４４は軸方向にロックするだけでなく、円周方向にハンドルのネック４上で案内されるため、また好ましくは、ラッチフック４４は、ハンドルのネック４上の溝形状のポケット又は類似の案内手段の中に移動するため、この固定は容易に達成されることができる。それに代わって、又はそれに加えて、ハンドルのネック４は、またそれと相補的な結合インサート９は、丸形でない、回転力を散逸させるように働く横断面を有することができる。それに代わって、又はそれに加えて、回転に対する更なる固定手段が、内部ラッチ要素６３の反対側に、例えば歯ブラシネックの中へと軸方向に延びるピンの形態で設けられることができる。
【００４９】
図２は、基本的には同様の歯ブラシ１の設計を示しているが、この設計は、実質的に、内部ラッチ要素４３の設計によって、またハンドルのネック４の内側に展開可能な結合／抑制部１３が設けられることによって、図１に示す実施形態とは異なるものとなっている。
【００５０】
図２に示すように、歯ブラシハンドル２のネック４に、リブ形状及び／又はほぼ半殻形状の結合及び抑制部１３が設けられており、この結合及び抑制部１３は、一方では、駆動シャフト５を抑止するための抑制手段２３を形成しており、それと同時に、ハンドル上に結合装置１０の結合部を形成しており、この結合部は、取り付けブラシ上で結合インサート９とラッチ係合されることができる。ハンドルの切頭体形状のネック４は、ハンドルのハウジングに堅く連結され、ハンドルの実際のネック４を形成する本体部分と、移動可能に装着される抑制及び結合部１３との、いわば二叉に分かれており、抑制及び結合部１３は、駆動シャフト５が抑止される初期位置において、ハンドルのネック４の輪郭に実質的に続いており、そのハンドルのネック４と共に、管状連結部７を押し込むことができる連結切頭体を形成している。具体的には、初期位置において、抑制及び結合部１３は、この駆動シャフトを妨げるために、駆動シャフト５のうちの平坦な区間とともに、同様に平坦な部分に収容される。
【００５１】
図２に示すように、抑制部１３を展開するための展開機構１４は、摺動抑止案内体３４の形態をなす摺動案内体を有することができる。図２に示す特定の実施形態において、抑制及び結合部１３は、２つの案内溝の形態をなす摺動抑止案内体３５を備え、それらの案内溝は、長手方向溝の形状を有し、階段に似た方式で角度をなしており、それらの案内溝内には、実質的に遊びのない、抑止部１３の摺動案内を達成するために、案内溝の幅に直径がほぼ一致する２本の案内ピン３６が係合している。図２に示す２つの案内溝に代わって、所望により抑制部１３が更に支持することで、所望により１つの案内溝のみを設けて、展開の間にこの抑制部が更に旋回運動を経るようにすることも可能である。しかしながら、図２に示す、２本の案内ピン３６を有する摺動抑止案内体が好ましい。
【００５２】
有利にも、案内摺動抑止体３５は、案内区間３７、３８、及び３９を備えることができ、案内区間３７、３８、及び３９は、ハンドルの長手方向１２に対して種々の角度をなして傾斜しており、そのため、抑制部１３のストローク又は展開動作は複数の段階を経るようになっている。好ましくは、ここで、更に険しく傾斜した中央案内区間３９が設けられ、その中央案内区間３９は、傾斜の険しくない案内体端部区間３７及び３８へとつながっている（図２を参照）。案内体端部区間３７及び３８は、有利にも、ハンドルの長手方向１２に実質的に平行に方向付けられており、そのため、案内ピン３６がこれらの案内体端部区間３７及び３８の領域に配置されるとき、抑制部１３のストローク動作は発生せず、抑制部は、軸方向力なしに、それぞれの展開の角度に保持される。所望により、案内体端部区間３７及び３８はまた、終端位置に接近するとわずかな後退が生じるように、（中央案内体区間３９の傾斜に対して）反対方向にわずかに傾斜されることもできる。
【００５３】
中央案内体区間３９の傾斜は、有利にも、特に、押し込み動作の長さ及びハンドルのネックの直径、並びに駆動シャフト５の平坦部分の寸法において、結合装置１０の特徴に適合する。図２に示す特定の実施形態において、４５°〜８０°の範囲の傾斜角度が有利であると判明した。
【００５４】
このようにして、次の機能が生じる。つまり、取り付けブラシ３がハンドルのネック４に押し込まれるとき、抑制及び結合部１３は最初は、その進入したラッチしない終端位置に残っている。結合インサート９は、凹部２５に至るまでの挿入領域において、抑制部１３のラッチノーズ１８の半径方向寸法よりも半径方向には大きいと考えられる内側間隙を有している（図２を参照）。
【００５５】
このようにして、取り付けブラシ３は、取り付けブラシのラッチノーズ１８が凹部２５の領域に静止するまで、抑制及び結合部１３の上で押し込まれる。しかしながら、取り付けブラシ３が更に押し込まれると、抑制及び結合部１３は、ハンドルの長手方向１２に対して直角に延びる端面に設けられた衝突表面２０で、結合インサート９の作用突起２８上の衝突表面２６と衝突する。このようにして、抑制及び結合部１３は、取り付けブラシ３が更に押し込まれるときに軸方向に運ばれて、抑制部１３を摺動抑止案内体３４内にて移動させる。傾斜した中央案内区間３９を通じて、抑制部１３は、この構成において外向きに半径方向に押圧され、その結果、そのラッチノーズ１８は、取り付けブラシ３の窓型の凹部２５の中に移動する（図２を参照）。
【００５６】
図２に示すように、抑制及び結合部１３に沿って進む取り付けブラシ３の作用突起２８は、ここでは、スプリングクリップの形態で形成されており、そのスプリングクリップは、完全に押し込まれた位置でハンドルのネック４とラッチ係合し、またこの点で、ラッチ装置又は内部ラッチ要素４３を形成するものである。特に、ラッチフック４４は、ハンドルのネック４の内部に移動するとき、そこでまず半径方向に外れ、ハンドルのネック曲線の上で摺動することができる。終端位置に達すると、ラッチフック４４は、アンダーカットされた凹部にロックし、戻ることができる。図示の実施形態において、ここで、ラッチフック４４は、半径方向に突出するラッチノーズを設けられており、このラッチノーズは、ハンドルのネック４に設けられたラッチ凹部の中に移動することができる（図２を参照）。これにより、取り付けブラシ３は押し込み位置に更に保持される。
【００５７】
取り付けブラシ３が引っ張られると、抑制部１３は、その内側の位置へと反対方向に後退する。この構成において、結合インサート９に設けられた引き込み表面２７は、抑制及び結合部１３に設けられた引き込み表面２１に沿って進み、したがって、軸方向に沿って抑制部１３を運ぶ。それと同時に、作用突起２８は、そのラッチノーズ４０の斜面４５によってロック解除される（図２を参照）。引っ張りが継続するとき、抑制及び結合部１３は、摺動抑止案内体３４にて半径方向内向きに十分に移動し、そのため、取り付けブラシ３の内輪郭は、抑制部１３のラッチノーズ１８の上で引っ張られることができる（図２を参照）。図２それと同時に、抑制及び結合部１３の内側平坦部分２４が、駆動シャフト５の平坦部分３１に収容され、駆動シャフト５はそれによって抑止される。
【００５８】
有利にも、歯ブラシハンドルと取り付け部品との嵌合表面に、異物捕捉凹部４１が設けられ、言うなれば、この異物捕捉凹部４１の中に、塵、異物粒子などが、結合工程を妨害しないように消滅することができる。具体的に言えば、長手方向溝の形状をなすひだ２４が、抑制部１３の外側表面上及び／又はハンドル４の外側表面上の異物捕捉凹部４２として設けられることができる（図２を参照）。
【００５９】
図３は、基本的には同様である特定の実施形態を示している。しかしながら、ここで、ラッチフック４４は、図２に従う実施形態のように、曲折する形状で湾曲しておらず、むしろ、実質的に直線的に延びるアーム、又は直線的なラッチタングの形態で形成されており、その外側部９０は、ロック位置において、ハンドルのラッチ輪郭４８の内表面に対して、半径方向に直立している。ラッチ輪郭４８はここでは、ラッチフック４４のラッチ突起が入り込むポケットの形態で形成されることができ、そのため、ラッチフックもまた、円周方向力を伝達するために、円周方向に案内される。他の点において、図３に従う実施形態は図２に従うものと実質的に対応しており、したがって、その更なる説明を参照されたい。
【００６０】
図４は、歯ブラシ１の別の実施形態を示している。この実施形態において、内部ラッチ要素４３は、ここでも先の図と類似した方式でラッチフック４４として形成されているが、別の結合インサート９に設けられるのではなく、管状連結部７の壁に直接設けられており、具体的に言えば、その壁に一体的に形成されている。しかしながら、上記の図と類似した方式で結合インサート９を有する設計も同様に、当然ながら可能となる。
【００６１】
しかしながら、先の図との基本的な相違には、外側結合部６２及びそれと相補的なハンドルのネック４の輪郭の設計、並びに、駆動シャフト５及び８のシャフト結合部６３及び６９の設計が挙げられる。ハンドルのネック４の外側円筒表面は、円錐状であり、具体的には先細であり、そのため、長手方向１２に対する傾斜角は、約７°超となることができ、この角度では本質的に、起こり得る自動的な係合が防止される。これにより、短い押し込み経路が与えられても、遊びのない嵌合が可能となる。ハンドルのネック４に対する取り付けブラシ３の軸方向の固定は、上述した方式でのハンドルのネック４の内部における係合によってもたらされる。
【００６２】
同様に、駆動シャフト５及び８の境界面は、互いに接続され得るシャフト結合部６３及び６９に設けられた、互いに相補的な円錐状のクランプ嵌合表面６５及び７３であり、これらの嵌合表面が取り付けブラシ３の長手方向１２に対してなす傾斜角もまた、約７°超となることができる。このようにして、短い作動経路を考慮しても、駆動軸５と９との間の精密な嵌合による遊びのない連結が、軸方向に互いに押し込むことによって達成され得る。そのようにシャフト結合部６３及び６９を円錐状に、又は先細に実現することは、図６及び７に示すように、駆動シャフト８及び／又は５を軸方向に付勢することと相まって特に有利となり得る。
【００６３】
ハンドルのネック４への管状連結部７の係合に関して言えば、図６に従う実施形態は、先の実施形態と類似する方式で実現されるものであり、したがってその説明を参照されたい。具体的には、図６に示すように、連結部７には、ラッチフック４４の形態をなす内部ラッチ要素４３が設けられている（図６を参照）。図６に従う実施形態の基本的な特徴は、先に述べた実施形態と比較すると、付勢装置６６であり、この付勢装置６６により、取り付けブラシの駆動シャフト８のシャフト結合部６３は、ハンドルの駆動シャフト５のシャフト結合部６９にクランプ係合されている。先に述べた実施形態と同様に、ここでは２つのシャフト結合部６３及び６９が、クランプ嵌合表面６５及び７３を備えており、クランプ嵌合表面６５及び７３は、長手方向に対して鋭角をなして傾斜しており、同様に約７°超の角度に定められることができる。図６に示すように、取り付けブラシのシャフト結合部６３は、スプリング装置６７によって、対応する駆動シャフト８上に一体的に形成されており、スプリング装置６７は、対角線上に延びる複数のスプリングクリップを有する成型圧縮スプリングの形態をなしている（図６を参照）。このようにして、シャフト結合部６３は、スプリング装置６７の力に対抗して、軸方向に変位可能となっている。取り付けブラシ３がハンドル２に押し込まれると、スプリング装置６７は、言うなれば圧縮されて、シャフト結合部６９に対するシャフト結合部６３の付勢を生じさせる。このようにして、シャフト結合部は、互いに対してしっかりと保持されている。スプリング装置６７の軸方向力は、有利にも、ハンドルのネック４の内部におけるラッチ連結によって補正される。
【００６４】
図７は、図６に示すものと基本的には類似した実現例を示しているが、ここでは成型圧縮スプリングは使用されていない。むしろ、シャフト結合部６３は、駆動シャフト８とは別に形成されており、軸方向に変位可能でありながらも長手案内体７５によって、回転に関して固定された様式で案内されている。長手方向案内体７５は、様々な方式で、例えば引っ張り出しに対して軸方向に固定されるスプライン連結として実現されることができる。
【００６５】
付勢装置６６は、ここでもスプリング装置６７を備えており、このスプリング装置６７は有利にも圧縮スプリングとして形成されており、駆動シャフト８に対してシャフト結合部６３に予め軸方向に張力をかけるために、シャフト結合部６３と駆動シャフト８との間の止り穴に収容されることができる。このようにして、図６に示すものと相当に類似した機能を達成することができる。
【００６６】
図には別に示されていないが、運動学的に（言うなれば）逆転して、又はまたそれに加えて、ハンドルの駆動シャフト５及び／又はそのシャフト結合部６９の変位性及び軸方向付勢をもたらすことも可能である。
【００６７】
ハンドルのネック４の内部６０にある内部ラッチに関して、更に有利な特定の実施形態が提供されてもよい。したがって、例えば、図５は、スリーブとして、又は管状中央ラッチフック４４で形成された、取り付けブラシ３の管状連結部７における内部ラッチ要素４３を示しており、管状中央ラッチフック４４は、摺動スリーブの形式でハンドル２の駆動シャフト５に押し込まれることができる。この管状ラッチフック４４又はスリーブ形式の設計には、スリットを設けることができ、そのため、各々が外れることができ、かつ取り付け部品３の長手方向１２に垂直に、具体的には半径方向にロックすることができる複数のラッチタングが設けられるようになっている。これに相補的に、ハンドルのネック４の内壁は、対応する複数のラッチ輪郭４８を備えている。
【００６８】
図５に示すように、ここで、内部ラッチ要素４３のラッチ輪郭６１は、様々な軸方向の位置に設けられることができ、すなわち、ラッチフック４４は種々の長さを有することができる。図５に示す特定の実施形態において、管状中央ラッチフック４４は、先に述べた結合インサート９に設けられている。
【００６９】
ラッチスリーブは、有利にも半径方向の位置決め表面９０を有することができ、言うなれば、好ましくは、わずかに円錐状の中央スリーブを形成することができ、その中央スリーブにより、連結部７はハンドルのネック４の内部６０に中央に置かれることになる。
【００７０】
図８は、内部ラッチ要素４３の別の有利な実施形態を示している。ここで、内部ラッチ要素４３は、取り付けブラシ３の管状連結部７の中に配置され得るプロファイルリング上に一体的に形成されており、このプロファイルリングは、上述の結合インサート９を形成することができる。結合インサート９として働くこのプロファイルリングは、一方では、円錐状の外部スリーブを構成しており、この外部スリーブは、結合部７の端面に向かって広がり、ハンドルのネック４の円錐状に先細となる外表面上に精密な嵌合で収容されている。ここでハンドルのネック４は、有利にも、グリップ部に面するその端部に、階段状の拡大部７６を備えており、その拡大部７６の中に、ポケット７７が、具体的には環状溝の形状をなすポケットが加工されることができ、そのポケットの中に、結合インサート９の外部スリーブ区間７８が精密な嵌合で入り込む（図８を参照）。
【００７１】
他方で、結合インサート９は内側スリーブ区間７９を備えており、この内側スリーブ区間７９に、上述の実施形態と類似した方式でラッチフックが設けられている。例えば、内側スリーブ区間７９の残部から長手方向スリットによって分離され得る内部ラッチフック４４とは別に、内側スリーブ区間７９は、ハンドルのネック４の内部円筒表面に精密な嵌合で装着される円錐状の外部円筒表面を有することができ（図９を参照）、そのため、管状連結部７は、言うなれば二重の嵌合でハンドルのネック４上に保持される。
【００７２】
ラッチフック４４による係合は、上述の方式で生じ得る。別法として、ハンドルのネック４の壁上に一体的に形成されるラッチ突起に代わって、垂直に延びるピン８０が、ハンドルのネック４の内部６０の中に配置されてもよく、そのピン８０を越えてラッチフック４４のラッチ輪郭６１が移動し係合する。
【００７３】
図９に示すように、ハンドルのネック４の内部６０にあるラッチ連結はまた、言うなれば逆転されることもできる。具体的には、ハンドルに設けられた内部ラッチ手段７０がまた、スプリングクリップの形態をなすラッチタングを備えることができ、そのスプリングクリップは、ハンドルのネック４の長手方向１２に対して実質的に平行に延びるものであり、言うなればその長手方向１２に対して垂直に弾性的に変形可能となるように形成される。具体的には、スプリングクリップ７１の形態をなすラッチタングは、図９に示すように、半径方向に外れ、そしてロックすることができ、この目的で、好適なラッチ輪郭４８が、例えば半径方向内向きに突出するラッチ突起の形態で、ラッチタングスプリングクリップ７１の突出端部に与えられることができる。
【００７４】
取り付けブラシ３の内部ラッチ要素４３は、この構成において、本質的には硬質の突起として形成されており、この突起は、端面において突出しており、それによりハンドルのネック４の内部６０の中に移動することが可能となっている。ここで内部ラッチ要素４３を形成する突起は、ラッチ凹部の形態をなすラッチ輪郭６１を備えており、このラッチ凹部の中に、ラッチ突起又はスプリングクリップ７１が移動することができる（図９を参照）。
【００７５】
図１０に示すように、ハンドルのネック４の内部６０に複数のスプリングクリップ７１を設けることも可能であり、図示の特定の実施形態において、これらのスプリングクリップは、ハンドルのネック４に装着されたスリーブ型インサートに一体的に形成されているか、又は固定されている。ここで、ハンドルネック上のインサート８１の外側区間８２は、ハンドルのネック４の外側円筒表面に置かれており、ラッチクロー８３によってその外側円筒表面に固定的にロックされている。インサート８１の外側区間８２に、ハンドルのネック４の内部６０に延びる内側区間８４が一体的に形成されており、この内側区間８４は、（大まかに言えば）、好ましくは丸形でない横断面を有するスリーブ形状のインサートを形成しており、この内側区間８４に、ラッチタング又はスプリングクリップ７１が設けられており、このラッチタング又はスプリングクリップ７１は、ハンドルのネック４の長手方向に対して直角に、具体的には半径方向に外れることができ、好ましくはラッチ突起の形態で、長手方向に対してアンダーカットされた対応するラッチ輪郭６１を有している。インサート８１は例えば、シートメタル部品として形成されることができ、そのため、スプリングクリップ７１は、ラッチ輪郭４８を有するシートメタルクリップを形成する。取り付けブラシ３の管状連結部７は、スプリングクリップ７１とラッチ係合するために、図９に示すものと類似した方式でその内部ラッチ要素４３と共にハンドルのネック４の内部に移動することができる。
【００７６】
半径方向に固定すると共に、軸方向の遊びをなくすために、様々に形成された内部ラッチ要素４３、又は様々に形成された内部ラッチ手段７０が、ハンドルのネック４の内部で使用されることができる。図１１に示すように、例えば、一方では、実質的に長手方向１２に対して直角に方向付けられたラッチ輪郭６１を有するラッチフック４４が設けられることができ、その輪郭は、同様に長手方向１２に対して直角に方向付けられた、ハンドルのネック４のラッチ輪郭４８と係合するものである。他方で、ラッチ輪郭６１としてラッチ表面を有するラッチフック４４が設けられることができ、このラッチ表面は、長手方向１２に対して直角に延びず、むしろ鋭角をなして長手方向１２に対して傾斜しており、鋭角をなして相補的な形式で長手方向１２に対して傾斜する、ハンドルのネック４上のラッチ表面４８とロックする。そのような斜めに配置された一対のラッチ輪郭４８及び６１により、ラッチ連結部は、遊びを伴うことなく取り付けブラシ３の結合部７をハンドルのネック４に保持する軸方向力成分を得ることができる。
【００７７】
ハンドルのネック４及び結合部７の横断面が丸形でないことに代わって、又はそれに加えて、半径方向の運動及び／又は取り付けブラシ３とハンドルのネック４との間での円周方向における運動が、ハンドルのネック４の内部６０におけるラッチ連結の好適な設計によって排除されることができる。図１３に示すように、この目的で、ラッチ輪郭のうちの１つ、例えばハンドルのネック４の内部ラッチ手段７０のラッチ輪郭４８は、円周方向にてアンダーカットされた、すなわち、円周方向に見ると始点及び端壁８５を有するポケットとして形成されることができる。ラッチフック４４は、このようにして形成されたラッチ凹部に精密な嵌合で移動することができ、この場合、ラッチフック４４は有利にも、２つのラッチフック部分４４Ａ及び４４Ｂを有することができ、ラッチフック部分４４Ａ及び４４Ｂは、展開して互いから離れることができ、また、円周方向の限界表面に対して位置決め表面を与えられている。ラッチフック部分は、例えば、展開されることができ、かつスプリングによって予め張力をかけられて互いに離されるクランプ結合部とされることができる。別法として、図１３に示すように、ハンドルネックの内壁にあるラッチ輪郭６１のポケット形状のラッチ凹部の中に精密な嵌合で移動する、突出する２つのラッチタングの端部が存在するように、長手方向スリットで分割されたラッチタングも設けられることができる。
【００７８】
図１４によれば、ハンドルのネック４の内部６０におけるラッチはまた、クランプリング８５によっても生じ得るものであり、このクランプリング８５は、図示の特定の実施形態において、ハンドルのネック４の内側円周表面にある環状溝の形態をなすレセプタクルポケット８６に装着されており、また、弛緩した状態で、内側円筒表面を越えて内向きに突出している。テンションリング８５が拡大するときに、テンションリングが内側円筒表面を越えて内向きに突出する距離を少なくとも減じるか、又はなくすことができるように、テンションリングは、半径方向に拡大できるような方式でレセプタクルポケット８６に収容されている。
【００７９】
取り付けブラシ３に設けられた内部ラッチ要素４３は、有利にも、この構成においては突出するラッチスリーブとして形成されており、このラッチスリーブは、駆動シャフト５の上に押し込まれる得るものであり、また円周溝の形態をなすラッチ輪郭６１をその外周に有しており、この円周溝は、ブラシが完全に押し込まれると、レセプタクルポケット８６と（大まかに言えば）合致し、そのため、テンションリング８５は、ラッチ輪郭６１の円周溝の中に飛び入ることができる。有利にも、ここで、テンションリング８５のラッチ表面及び／又は内部ラッチ要素４３の円周溝は、長手方向１２に対して鋭角をなして傾斜しているか、又は軸方向に遊びのない連結を達成するために楔形表面の形式で形成されている。ラッチスリーブは、円錐状の外側表面を有することができ、かつ／又は、同様に連結部７を半径方向に支持するために放射状の中心スリーブを形成することができる。
【００８０】
図１４に示すように、レセプタクルポケット８６は、クランプリング８５を軸方向に固定する固定リング８７によって、一方の端部にて境界を画されることができる。図１４に示す実施形態に代わって、この構成もまた、具体的には、クランプリング８５が、管状内部ラッチ要素４３のレセプタクルポケット８６の中に装着されることができ、かつ飛び入ることができ、また、ハンドルのネック４の内側円筒表面にある円周溝の中への拡大によって、外れるか、又はラッチ係合できるような方式で、逆転されることができる。
【００８１】
図１５は、クランプリング８５を用いた、内部６におけるラッチ連結の同様の設計を示している。同様にこのラッチ連結において回転に対する固定を実現するために、垂直に延び、かつ円形のリング形状から逸脱するスプリング要素８８が設けられることができ、有利にもわずかに触れる程度に配置される。このスプリング要素は、スプリング要素と適合するように形成されたラッチ溝の中に飛び入ることができる。
【００８２】
図１６は別の特定の実施形態を示しており、この図によれば、ハンドルのネック４に固定され、実質的に軸方向に延びるスプリングクリップ７１が、突出する端部にラッチ突起を設けられたラッチタングとして、ハンドルのネック４の内部６０に設けられており、この突起は、スプリングクリップのＵ字形状の角によって形成されている（図１６を参照）。
【００８３】
ここで、取り付けブラシ３の管状連結部７もまた内部ラッチ要素４３を備えており、この内部ラッチ要素４３は、端面に向かって突出しており、ハンドルのネック４の中に移動している。ラッチ要素４３は、有利にも、外側円筒表面区間８９を有するプロファイルリングを形成することができ、この外側円筒表面区間８９は、ハンドルのネック４の内側円筒表面区間の中に、精密に嵌合して移動している。具体的には、ハンドルのネック４の外側円筒表面が円錐状に設計されること、及び外部結合部６２がそれに対して相補的に形成されることと相まって、遊びのない半径方向の嵌合がこのようにして達成されることができる。
【００８４】
同様に軸方向に遊びのない固定を達成するために、内部ラッチ手段７０のスプリングクリップ７１のラッチ輪郭４８と、内部ラッチ要素４３のラッチ輪郭６１は、好適な方式で互いに適合されることができる。具体的には、スプリングクリップ７１のＵ字形状の湾曲によって形成された、内部ラッチ手段７０のラッチ突起は、Ｕ字形状に曲がるにはそれ自体が小さすぎる、内部ラッチ要素４３上のラッチ凹部の中に移動することができる。スプリングクリップ７１が内部ラッチ要素４３のラッチ凹部の中にスナップ嵌めされるとき、スプリングクリップは、ラッチ凹部の縁部に対して両側で押圧され、結果として、遊びのない軸方向の固定が得られる（図１６を参照）。
【００８５】
言うまでもなく、上記の設計もまた所望により逆転されることができる。すなわち、対応する突起が内部ラッチ要素４３に設けられ、その内部ラッチ要素４３に、スプリングクリップ７１のＵ字形状の部分がスナップ嵌めされる。スプリングクリップ７１の、先細の若しくは斜めに配置された傾斜表面又は楔状表面、並びに、内部ラッチ要素４３の相補的な円錐状及び／又は傾斜表面、そしてそれらを互いに押し当てる弾性材料によって、遊びを持つことなく取り付けブラシ３を軸方向に固定することが達成され得る。
【００８６】
図１７は更なる実施形態を示しており、この図によれば、ハンドルのネック４及び管状連結部７は、閉じた環状の外形を形成しておらず、むしろ各々が、半殻形状の結合部６８を形成しており、これらの半殻形状の結合部６８は、両者で完成したものとなるように互いに配置されることができ、そのため、取り付けブラシ３の固定は、取り付けブラシ３が回転するのを防止する方式で達成される。より正確には、ここで、ハンドルのネック４は、取り付けブラシ３の管状連結部７の中に移動する半殻形状の結合部６８を形成することができる。内向きに突出する結合フランジ９８が、連結部７に設けられており、この結合フランジ９８は、半殻形状の結合部６８の縁部に進んでいる。有利にも、ここで、半殻形状の結合部の縁端部表面、連結部７との係合に移行する係合突起が、結合部７におけるハンドルのネック４の心出しを生じさせるために、例えば、Ｖ字型の溝又はばち形の輪郭の形態で、心出し輪郭９７を設けられている。ここで、半殻形状の結合部６８は、したがって、一方ではその外周を結合部７で囲まれており、他方では心出しする形式で縁端部にて支持されている。
【００８７】
それに代わって、又はそれに加えて、心出しはまた、ハンドルのネック４の端面においても生じ得る。有利にも、ここで、半リング形状の心出し輪郭が、連結部７上に、また半殻形状の結合部６８の端面上に、例えばＶ字型の溝及び／又はばち形の輪郭の形態で設けられることができる（図１７を参照）。
【００８８】
図１７に示す構成の逆転において、連結部７が半殻形状の結合部６８を有してもよく、半殻形状の結合部６８はその場合、相補的な方式でハンドルのネック４に押し込まれる。
【００８９】
図１７に示すように、ここでも同様に、ハンドルのネック４の内部６０に配置されたラッチ連結が、ラッチフック４４によってもたらされている。
【図１】
0005410516.tif 000002
【図２】
0005410516.tif 000003
【図３】
0005410516.tif 000004
【図４】
0005410516.tif 000005
【図５】
0005410516.tif 000006
【図６】
0005410516.tif 000007
【図７】
0005410516.tif 000008
【図８】
0005410516.tif 000009
【図９】
0005410516.tif 000010
【図１０】
0005410516.tif 000011
【図１１】
0005410516.tif 000012
【図１２】
0005410516.tif 000013
【図１３】
0005410516.tif 000014
【図１４】
0005410516.tif 000015
【図１５】
0005410516.tif 000016
【図１６】
0005410516.tif 000017
【図１７】
0005410516.tif 000018